【事件の表示】
　特許第２９２９４７０号「遊技機」の請求項１，２に係る特許に対する特許異議の申立てについて、次のとおり決定する。
【結　論】
　特許第２９２９４７０号の請求項１，２に係る特許を維持する。
【理　由】
  特許２９２９４７０号（平成２年１２月２７日出願、平成１１年５月２１日設定登録。）の請求項１，２に係る発明は、その特許請求の範囲の請求項１，２に記載された事項により特定される次のとおりのものである。
「【請求項１】予備遊技を実行可能な予備遊技装置と、遊技球の入賞に基づき該予備遊技の始動条件を付与可能な始動入賞装置とを遊技領域に備え、前記予備遊技の結果態様が予め定められた結果態様であったことに関連して遊技者にとって有利な特別遊技状態を発生可能な遊技機において、
前記始動入賞装置は、当該始動入賞装置への遊技球の入賞状態を遊技者にとって不利な第１状態と遊技者にとって有利な第２状態とに電気的な作用に基づき変換可能な可動部材を有する電動入賞装置により構成し、
前記遊技領域に配設され、複数の識別情報を可変表示可能な補助可変表示装置と、
前記補助可変表示装置での可変表示の停止結果態様が特定表示態様となったことに関連して前記電動入賞装置の可動部材を前記第２状態に所要時間変換させる制御を行う補助遊技制御手段と、
を備え、
前記補助遊技制御手段は、前記電動入賞装置の可動部材が前記第２状態へ変換する際の変換時間を、第１の時間と該第１の時間よりも長い第２の時間とに変更可能な作動時間変更手段を含み、
前記作動時間変更手段は、前記予備遊技装置に関わる所定遊技条件の成立に基づき、前記第１の時間から前記第２の時間へ変更するようにしたことを特徴とする遊技機。
【請求項２】前記予備遊技装置は、複数の識別情報を可変表示可能な可変表示装置により構成されていることを特徴とする請求項１記載の遊技機。」
  申立人は、証拠として、本件特許出願前の出願であって本件特許出願後に出願公開された甲第１号証（特願平２−２３８７８９号（特開平４−１１７９８０号）、以下「先願明細書」という。）を提出し、各請求項に係る発明の特許は、上記先願明細書記載の発明と同一であり、特許法第２９条の２第１項の規定により特許を受けることができないのものであるから、各請求項に係る発明の特許を取り消すべき旨主張している。
  先願明細書には、
「弾球遊技機」であって、
「特別可変表示装置と普通可変表示装置とが備えられ、普通始動入賞領域に打玉が入賞することに基づいて前記普通可変表示装置が可変表示される。そして、少なくとも、その普通可変表示装置の停止時の表示結果が所定の識別情報になれば、所定の規制条件が成立するまで前記普通可変入賞球装置が第１の状態に駆動制御される。さらに、確率変動制御手段の働きにより、予め定められた確率変動条件の成立に基づいて、前記普通可変表示装置の停止時の表示結果が前記所定の識別情報になる確率が変動制御される。」（第３頁右上欄第４〜１４行）こと、
「遊技領域２２３には、複数種類の識別情報が可変表示可能な普通可変表示装置２と、複数種類の識別情報が可変表示可能な特別可変表示装置１と、可動部材４ａ，４ｂが開閉することにより打玉が入賞しやすい遊技者にとって有利な第１の状態と打玉が入賞しにくいまたは入賞しない遊技者にとって不利な第２の状態とに変化する普通可変入賞球装置４とが一体的に設けられている。さらに遊技領域２２３の下方位置には、開閉板５１が開閉することにより打玉が入賞しやすい遊技者にとって有利な第１の状態と打玉が入賞しにくいまたは入賞しない遊技者とって不利な第２の状態とに変化する特別可変入賞球装置３と、特別始動入賞口９ａ，９ｂとが一体的に設けられている。・・・遊技領域２２３に打ち込まれたパチンコ玉が特別始動入賞口９ａ，９ｂのいずれかに入賞すれば、始動入賞玉検出器１１ａ，１１ｂのうちの対応する始動入賞玉検出器により検出され、その検出出力に基づいて前記特別可変表示装置１が可変表示を開始する。」（第３頁左下欄第８行〜右下欄第１２行）こと、
「特別可変表示器１ａ，１ｂ，１ｃや普通可変表示器２ａ、２ｂは、０〜９の１０種類の数字を可変表示するものであり、特別可変表示装置１の表示結果が、第１図に示す横３行および斜め対角線上に２列の合計５列のラインにたとえば７７７が揃えば大当り状態となり、ソレノイド１６が励磁されて開閉板５１が開成される。この開閉板５１の開成は、所定時間・・・の経過または打玉の所定個数・・・の入賞のうち早い方の条件が成立するまで継続される。図中５２は特定入賞領域・・・であり・・・パチンコ玉が前記特定入賞領域５２内に入賞すれば、特別可変入賞球装置３がその第１の状態が終了していったん第２の状態になった後再度開閉板５１が開成されて第１の状態に繰返し継続制御される。・・・１６回の繰返し継続制御が終了した後に、普通可変表示装置２が当りとなる識別情報（たとえば７７や３３）に表示制御される確率を向上させた集中ゲーム状態が発生する。」（第４頁右上欄第１１行〜右下欄第２行）こと、
「普通始動通過口７により打玉の通過により前記普通可変表示装置を可変表示させるように定められた普通始動入賞領域が構成されている。始動通過玉検出器８により、前記普通始動入賞領域に入賞した入賞玉を検出する普通始動入賞玉検出手段が構成されている。この普通始動通過口７にパチンコ玉が通過して可変表示された普通可変表示装置２の停止時の表示結果が所定の識別情報（たとえば７７）となれば、ソレノイド１５を励磁させて普通可変入賞球装置４を比較的長い所定時間（たとえば６秒間）開成制御する。一方・・・表示結果がたとえば「３３」となれば・・・比較的短い所定時間（たとえば３秒間）開成させる。
  本実施例では、普通可変入賞球装置４を通常の入賞口として構成したが、この普通可変入賞球装置４に入賞したパチンコ玉を始動入賞玉検出器により検出し、その検出出力に基づいて特別可変表示装置１が可変表示されるようにしてもよい。」（第４頁右下欄末行〜第５頁左下欄末行）こと、
「ソレノイド駆動回路７４を介してチューリップソレノイド１５に普通可変入賞球装置駆動用制御信号を与える。７セグＬＥＤ駆動回路７５を介して、特別可変表示器１ａ，１ｂ，１ｃならびに普通可変表示器２ａ，２ｂに可変表示制御信号を与える。」（第６頁左下欄第第６〜１１行）こと、
「特別可変表示装置の表示結果または普通可変表示装置の表示結果が所定の識別情報となった場合。この所定の識別情報とは大当りとなる表示のうち予め定められた表示や大当りとなる表示以外の予め定められた表示、さらには普通可変表示装置の大当りとなるすべての表示等が考えられる。なお．大当りとなるすべての表示や大当りとなる表示のうち予め定められた表示を集中ゲームの開始条件とする場合には大当り発生とともに集中ゲームを開始してもよく、または大当り制御の終了の後集中ゲームを開始してもよい。」（第１３頁右上欄第６〜１６行）こと、
が記載されている。
 
  請求項１に係る発明（以下「前者」という。）と先願明細書記載の発明（以下「後者」という。）とを対比すると、少なくとも後者には、前者の「電動入賞装置の可動部材が（遊技球の入賞状態を遊技者にとって有利な）第２状態へ変換する際の変換時間を、第１の時間と該第１の時間よりも長い第２の時間とに変更可能な作動時間変更手段」を「予備遊技装置に関わる所定遊技条件の成立に基づき、前記第１の時間から前記第２の時間へ変更するようにした」構成について記載されていない。
  この構成に関連する事項として、後者には「特別可変表示装置１（前者の「予備遊技装置」に相当。以下同じ。）の表示結果が・・・大当り状態（「特別遊技状態」）となり・・・開閉板５１（実施例における「大入賞口」）の開成は・・・繰返し継続制御され・・・繰返し継続制御が終了した後に、普通可変表示装置２（「補助可変表示装置」）が当り（結果として「電動入賞装置の可動部材を第２状態に所要時間変換させる」）となる識別情報に表示制御される確率を向上させた集中ゲーム状態が発生する」という構成が記載されている。
  しかし、「電動入賞装置の可動部材を第２状態に変換させる確率を向上」させること（後者）と、「電動入賞装置の可動部材が第２状態へ変換する際の変換時間を第１の時間から第２の時間へ変更」すること（前者）とは、技術的意義・構成・作用効果のいずれも相違するものであり、両者が同一のものであるとはいえない。
  請求項２に係る発明は、上記前者を更に限定したものであるから、上記前者についての判断と同様の理由により、上記後者のものと同一であるとはいえない。
  したがって、特許異議申立ての理由及び証拠によっては、請求項１，２に係る発明の特許を取り消すことはできない。
  また、他に本件特許を取り消すべき理由を発見しない。
  よって、結論のとおり決定する。
【異議決定日】
平成１２年５月３１日（２０００．５．３１）